(57)【要約】【課題】本発明は簡単な構造で、確実に且つ容易に作業が行える分電盤を提供することを目的としている。【解決手段】本発明に係る分電盤は、電気機器２の両側面には引っ掛け凹部７を設けると共に、機器取り付け板１には引っ掛け片３と板ばね５とがが設けられ、板ばね５は取り付け部６と引っ掛け部８を湾曲形成すると共に、取り付け部６の略中央部には上方へ付勢される切り起こし１０を形成し、引っ掛け凹部７に引っ掛け片３を引っ掛けた後、電気機器２を押し込み、板ばね５の引っ掛け部８を引っ掛け凹部７に引っ掛けて電気機器２を取り付け板１に固定することを特徴とする。【選択図】図３
2006136038.tif 000002
【特許請求の範囲】
【請求項１】
箱体に機器取り付け板を配置し、該機器取り付け板にブレーカ等の電気機器を載置して成る分電盤における、前記電気機器を前記取り付け板に取り付けるための板ばねの構造であって、前記電気機器の両側面には引っ掛け凹部を設けると共に、前記機器取り付け板には引っ掛け片と板ばねとがが設けられ、該板ばねは取り付け部と引っ掛け部を湾曲形成すると共に、前記取り付け部の略中央部には上方へ付勢される切り起こしを形成し、前記引っ掛け凹部に引っ掛け片を引っ掛けた後、前記電気機器を押し込み、板ばねの引っ掛け部を引っ掛け凹部に引っ掛けて前記電気機器を前記取り付け板に固定することを特徴とする板ばねの構造。
【発明の詳細な説明】
【技術分野】
【０００１】
本発明は、箱体に機器取り付け板を配置し、機器取り付け板にブレーカ等の電気機器を載置して成る分電盤における、電気機器を取り付け板に取り付けるための板ばねの構造に関するものである。
【背景技術】
【０００２】
図６〜図９に示すように、従来ＪＩＳ協約型と呼ばれるブレーカ３１は、側面下部に取り付け用溝３２が形成されていて、分電盤の機器取り付け板３３に設けられた引っ掛け片３４に引っ掛けた後、もう一方の端部を押し込み、機器取り付け板３３に取り付けられている板ばね３５に引っ掛け、ブレーカ３１を固定していた。板ばね３５の形状は、取り付け部３６を湾曲させて設け、取り付け用溝３２に係合する係合部３７を形成し、係合部３７は下方向に付勢されている。
【０００３】
ブレーカ３１を取り外すときには、板ばね３５の上端部を押し、取り付け用溝３２との係合を解除し、作業者が手で機器を持ち上げていた。
【特許文献１】特開２００２−２４７７１６号公報
【発明の開示】
【発明が解決しようとする課題】
【０００４】
しかしながら、上記技術によれば、ブレーカ３１によって取り付け用溝３２の寸法が異なり、図８に示すように、板ばね３５に形成された係合部３７が取り付け用溝３２に係合されるとき、隙間ができてしまいしっかりと固定できない場合があった。
【０００５】
また、ブレーカ３１を取り外す際にも、板ばね３５を押しながらブレーカ３１を持ち上げなくてはならないので、作業者は両手を使うことになり、作業性が悪いという欠点があった。
【課題を解決するための手段】
【０００６】
そこで本発明は、簡単な構造で、確実に且つ容易に作業が行える分電盤を提供することを目的とし、その構造は、電気機器の両側面には引っ掛け凹部を設けると共に、機器取り付け板には引っ掛け片と板ばねとがが設けられ、板ばねは取り付け部と引っ掛け部を湾曲形成すると共に、取り付け部の略中央部には上方へ付勢される切り起こしを形成し、引っ掛け凹部に引っ掛け片を引っ掛けた後、電気機器を押し込み、板ばねの引っ掛け部を引っ掛け凹部に引っ掛けて電気機器を取り付け板に固定することを特徴とする。
【発明の効果】
【０００７】
本発明に係る分電盤の板ばね構造は、電気機器の両側面には引っ掛け凹部を設けると共に、機器取り付け板には引っ掛け片と板ばねとがが設けられ、板ばねは取り付け部と引っ掛け部を湾曲形成すると共に、取り付け部の略中央部には上方へ付勢される切り起こしを形成し、引っ掛け凹部に引っ掛け片を引っ掛けた後、電気機器を押し込み、板ばねの引っ掛け部を引っ掛け凹部に引っ掛けて電気機器を取り付け板に固定するため、電気機器の取り付け板への取り付け取り外しが容易になる。また、電気機器が板ばねにより取り付けられたとき、板ばねに形成されている引っ掛け部は下方へ付勢し、切り起こし部は上方へ付勢し、確実に固定されるため、電気機器の取り付け時のガタつきが防止できる。電気機器の取り外しも、板ばねの上端部を押すことで引っ掛け部の係合が解除され、電気機器は跳ね上がり、切り起こし部の上に乗るため、片手で取り外し作業も可能になる。
【発明を実施するための最良の形態】
【０００８】
簡単な構造で、確実に且つ容易に電気機器の取り付け取り外し作業が行える分電盤を提供するという目的を、部品点数を増やさず、板ばねの簡単な形状変更だけで実現した。
【実施例１】
【０００９】
本発明に係る分電盤の構造を図１〜図５の添付図面に基づいて説明する。
【００１０】
分電盤は箱体に機器取り付け板１を配置し、機器取り付け板１にブレーカ２等の電気機器を載置して成る。機器取り付け板１には引っ掛け片３と、取り付け穴４が設けられる。取り付け穴４には板ばね５を取り付け、引っ掛け片３と板ばね５とでブレーカ２を固定する。
【００１１】
引っ掛け片３は機器取り付け板１に切り込みを入れ断面略Ｌ字状に立ち上げて形成する。また、板ばね５の形状は、機器取り付け板１に設けられた取り付け穴４に差し込まれる取り付け部６と、ブレーカ２の側面に設けられている引っ掛け凹部７、７に引っ掛けられる引っ掛け部８と、ブレーカ２を取り外すときに手で押す操作部９とを一枚の板より湾曲形成する。取り付け部６の略中央部に切り起こし１０を設ける。
【００１２】
ブレーカ２の取り付けは、まず、片方の引っ掛け凹部７を機器取り付け板１の引っ掛け片３に引っ掛け、ブレーカ２の他端を押し、板ばね５の引っ掛け部８に引っ掛け凹部７を引っ掛け固定する。この時、板ばね５の引っ掛け部８は略下方向に付勢され、ブレーカ２を確実に固定する。また、切り起こし１０はブレーカ２の底面を押し上げるように上方に付勢されており、ブレーカ２は引っ掛け部８により下方向に、切り起こし１０により上方向に押されて固定されるので、板ばね５は機器によって多少異なる機器取り付け用の引っ掛け凹部７にも確実に嵌合し固定される。
【００１３】
ブレーカ２の取り外しは、板ばね５の操作部９を手で下方向に押し、板ばね５の引っ掛け部８の引っ掛け凹部７への係合を解除する。切り起こし１０がブレーカ２の底面を押し上げているので係合が解除されたときにブレーカ２は上方へ跳ね上がり、板ばね５の上に乗った状態になる。ブレーカ２の取り外しは片手で行えるようになり、多くのブレーカ２を収めて構成される分電盤においては作業性が向上する。
【産業上の利用可能性】
【００１４】
ブレーカ等の機器を固定するための板ばねに切り起こしを形成し、ブレーカを取り付けたときに上方向へ押し上げており、確実にブレーカを取り付けることができると共に、ブレーカを取り外すために板ばねの係合を解除したときに、切り起こしがブレーカを跳ね上げるため、大型の分電盤などで多数のブレーカを取り付け取り外しする必要がある場合に作業性を向上させることができる。
【図面の簡単な説明】
【００１５】
【図１】本発明に係る分電盤に用いる板ばねの形状を示す説明図である。（実施例１）
【図２】本発明に係る分電盤の電気機器の取り付け状態を示した説明図である。（実施例１）
【図３】図２における要部拡大図である。（実施例１）
【図４】本発明に係る分電盤の取り付け動作を示す説明図である。（実施例１）
【図５】図４における要部拡大図である。（実施例１）
【図６】背景技術における板ばねの構造を示す説明図である。
【図７】背景技術における電気機器の取り付け状態を示した説明図である。
【図８】図７における要部拡大図である。
【図９】背景技術における電気機器の取り付け動作を示した説明図である。
【符号の説明】
【００１６】
１    機器取り付け板
２    ブレーカ
３    引っ掛け片
４    取り付け穴
５    板ばね
６    取り付け部
７    引っ掛け凹部
８    引っ掛け部
９    操作部
１０  切り起こし
【図１】
2006136038.tif 000003
【図２】
2006136038.tif 000004
【図３】
2006136038.tif 000005
【図４】
2006136038.tif 000006
【図５】
2006136038.tif 000007
【図６】
2006136038.tif 000008
【図７】
2006136038.tif 000009
【図８】
2006136038.tif 000010
【図９】
2006136038.tif 000011